(57)【要約】【課題】大容量のコンテンツを取り扱うことができる電子機器のデータ処理方法を提供する。【解決手段】磁気テープ１０に記録されたコンテンツデータを取り扱うことができる電子機器のデータ処理方法であって、前記磁気テープに記録された前記コンテンツデータを読み出す処理と、読み出された前記コンテンツデータを記憶手段３に格納する処理と、前記コンテンツデータの所定時間または所定容量の読み出しが完了したか否かを監視し、前記所定時間または前記所定容量の前記コンテンツデータの読み出しが完了した後に、前記記憶手段に格納された前記コンテンツデータを復調処理によってデータ変換する処理とを行い、前記磁気テープに記録された前記コンテンツデータを読み出しながら前記記憶手段に格納し、前記復調処理によって前記データ変換する処理が行われる。【選択図】図１
2013152751.tif 000002
【特許請求の範囲】
【請求項１】
磁気テープに記録されたコンテンツデータを取り扱うことができる電子機器のデータ処理方法であって、
前記磁気テープに記録された前記コンテンツデータを読み出す処理と、
読み出された前記コンテンツデータを記憶手段に格納する処理と、
前記コンテンツデータの所定時間または所定容量の読み出しが完了したか否かを監視し、前記所定時間または前記所定容量の前記コンテンツデータの読み出しが完了した後に、前記記憶手段に格納された前記コンテンツデータを復調処理によってデータ変換する処理とを行い、
前記磁気テープに記録された前記コンテンツデータを読み出しながら前記記憶手段に格納し、前記復調処理によって前記データ変換する処理が行われることを特徴とする、データ処理方法。
【発明の詳細な説明】
【技術分野】
【０００１】
本発明は、磁気テープに記録されたコンテンツデータを読み出して取り扱うことができる電子機器のデータ処理方法に関する。
【背景技術】
【０００２】
磁気テープは、オーディオテープ、ビデオテープ、コンピューターテープなど様々な用途があるが、特にデータバックアップ用テープの分野ではバックアップ対象となるハードディスクの大容量化に伴い、１巻当たり数ＴＢの記憶容量のものが商品化されており、今後ハードディスクのさらなる大容量化に対応するためバックアップテープの高容量化は不可欠である。
【０００３】
特許文献１〜３には、ハードディスクドライブ（ＨＤＤ）、半導体メモリ等からのアーカイブ、バックアップ用途として磁気テープドライブ装置が使用する構成が開示されている。
【先行技術文献】
【特許文献】
【０００４】
【特許文献１】特開平１１−３０６０９０号公報
【特許文献２】特開２００２−３６６３１０号公報
【特許文献３】特開平８−３０３９７号公報
【発明の概要】
【発明が解決しようとする課題】
【０００５】
現在、映像コンテンツやゲームコンテンツなどのデータを記録する媒体としては、ＤＶＤ（Digital Versataile Disk）やＢＤ（Blu-ray Disk）が普及しているが、ディスク１枚当たりの記録可能容量はＤＶＤ（両面ディスク）が最大９．４ＧＢで、ＢＤ（片面２層）が最大５０ＧＢである。しかしながら、これらのディスクでは５０ＧＢ以上の大容量のコンテンツを記録することができないという問題がある。例えば、ハイビジョン規格（ＨＤＴＶ）に準拠した映像コンテンツは１時間当たり約２５ＧＢの容量を有しており、ＢＤには約２時間記録することができるが、ＤＶＤには２０分程度しか記録することができない。また、映像コンテンツの一種である映画には２時間を超える作品もあり、このような場合１枚のＢＤにも記録することが困難である。１枚のＢＤへ２時間を超える映像コンテンツを記録することができる可変ビットレート技術があるが、これは映像コンテンツの全体または一部のデータレートを下げる技術であるため、折角の高画質なハイビジョン映像の画質を低下させてしまうという問題がある。
【０００６】
本発明の目的は、大容量のコンテンツを取り扱うことができる電子機器のデータ処理方法を提供することである。
【課題を解決するための手段】
【０００７】
本発明のデータ処理方法は、磁気テープに記録されたコンテンツデータを取り扱うことができる電子機器のデータ処理方法であって、前記磁気テープに記録された前記コンテンツデータを読み出す処理と、読み出された前記コンテンツデータを記憶手段に格納する処理と、前記コンテンツデータの所定時間または所定容量の読み出しが完了したか否かを監視し、前記所定時間または前記所定容量の前記コンテンツデータの読み出しが完了した後に、前記記憶手段に格納された前記コンテンツデータを復調処理によってデータ変換する処理とを行い、前記磁気テープに記録された前記コンテンツデータを読み出しながら前記記憶手段に格納し、前記復調処理によって前記データ変換する処理が行われることを特徴とするものである。
【発明の効果】
【０００８】
本発明によれば、大容量のコンテンツを取り扱うことができる。
【図面の簡単な説明】
【０００９】
【図１】実施の形態における電子機器の構成を示すブロック図
【図２】実施の形態における電子機器の動作を示すフローチャート
【発明を実施するための形態】
【００１０】
本発明のデータ処理方法は、磁気テープに記録されたコンテンツデータを取り扱うことができる電子機器のデータ処理方法であって、前記磁気テープに記録された前記コンテンツデータを読み出す処理と、読み出された前記コンテンツデータを記憶手段に格納する処理と、前記コンテンツデータの所定時間または所定容量の読み出しが完了したか否かを監視し、前記所定時間または前記所定容量の前記コンテンツデータの読み出しが完了した後に、前記記憶手段に格納された前記コンテンツデータを復調処理によってデータ変換する処理とを行い、前記磁気テープに記録された前記コンテンツデータを読み出しながら前記記憶手段に格納し、前記復調処理によって前記データ変換する処理が行われるものである。
【００１１】
このような構成とすることにより、磁気テープに記録されている全てのコンテンツデータを読み出さずにコンテンツデータの処理が実行されるため、処理開始命令から実際に処理が実行されるまでの時間を短縮することができる。
【００１２】
（実施の形態）
図１は、本実施の形態における電子機器の構成を示す。本実施の形態では、電子機器の一例としてパーソナルコンピューター（以下、パソコンと称する）を挙げて説明しているが、少なくとも磁気テープに記録されたデータを読み出し可能な装置であればパソコンに限らない。
【００１３】
図１に示すように、パソコン１は、中央演算処理装置（ＣＰＵ）２、ハードディスクドライブ（ＨＤＤ）３、ランダムアクセスメモリ（ＲＡＭ）４、操作部５、表示制御部６、表示部７、およびテープドライブ８を備えている。これらの構成は、システムバス９を介してデータや命令を送受信を行うことができる。ＣＰＵ２は、操作部５においてユーザーによって入力された命令に基づき、各部を制御する。ＨＤＤ３は、各種データを格納することができる。ＲＡＭ４は、ＣＰＵ２においてデータ処理を行う際に一時的にデータを格納する。操作部５は、ユーザーにより各種命令を入力可能なものであり、例えばキーボードやマウスなどで構成されている。表示制御部６は、ＣＰＵ２からの表示命令が出力されると、映像を表示部７に表示するよう制御する。表示部７は、表示制御部６からの制御により映像を表示することができるものであり、例えば内蔵型または外部接続型の液晶モニタで構成されている。テープドライブ８は、磁気テープ１０を装填可能なものであり、磁気ヘッドやテープローディング機構などを備えている。本実施の形態では、ＬＴＯ規格（LTO:Linear Tape Open）に準拠した磁気テープを再生可能な、リニアタイプのドライブで構成されている。また、テープドライブ８は、ＣＰＵ２からの命令に基づき、磁気テープ１０を搬送させて磁気テープ１０に記録されているデータを読み出したり、磁気テープ１０にデータを記録することができる。
【００１４】
なお、図示は省略しているが、音声を出力可能な音声信号処理回路やスピーカーも備えている。また、ＨＤＤ３は必ずしも備えている必要はなく、少なくともデータを一時的に格納することができる手段を備えていればよい。また、テープドライブ８は、読み出し手段の一例である。また、ＨＤＤ３は、記憶手段の一例である。また、ＣＰＵ２、ＲＡＭ４は、データ処理手段の一例である。
【００１５】
磁気テープ１０は、映像コンテンツ、音楽コンテンツ、アプリケーションソフトウェアなどの各種コンテンツデータが記録されている媒体である。また、磁気テープ１０は、カートリッジに収納され、カートリッジ内のリールに巻き回されている。また、磁気テープ１０は、例えばＬＴＯ規格に準拠しており、記録可能容量は例えば１．６ＴＢとしたが、リールへの巻数を多くしたり磁気テープ１０を薄型化することでさらに記録可能容量を拡大することができる。１．６ＴＢの容量を有する磁気テープの場合、ＭＰＥＧ２規格のデジタル映像を約６６７時間記録することができ、ハイビジョン映像を約６４時間記録することができる。また、本実施の形態では、磁気テープ１０に記録されているコンテンツデータは、オーサリングメーカーが記録したコンテンツデータを想定しているが、一般ユーザーがハイビジョン放送などの放送波を受信して記録したコンテンツデータであってもよい。
【００１６】
以下、動作について説明する。
【００１７】
図２は、本実施の形態のパソコン１を用いて、磁気テープ１０に記録されている映像コンテンツを再生する際の動作の流れを示す。まず、ユーザーによりテープドライブ８に磁気テープ１０が装填され、操作部５において再生命令が入力されると（Ｓ１）、ＣＰＵ２はテープドライブ８に対して磁気テープ１０を再生する命令を出力する。テープドライブ８は、ＣＰＵ２からの再生命令が送られると、磁気テープ１０を所定速度で走行させ、磁気ヘッドで磁気テープ１０に記録されている映像コンテンツデータを読み出す（Ｓ２）。
【００１８】
磁気テープ１０から読み出された映像コンテンツデータは、ＨＤＤ３に格納される（Ｓ３）。なお、テープドライブ８からＨＤＤ３へのデータ転送速度は約１６０ＭＢ／秒であり、例えばＤＶＤのデータ転送速度（約１．３５ＭＢ／秒）よりも高速である。ここで、磁気テープ１０から所定時間または所定容量の映像コンテンツデータの読み出しが行われたか否かを監視し（Ｓ４）、所定時間または所定容量の映像コンテンツデータの読み出しが完了すれば、復調処理に移行する。
【００１９】
ＨＤＤ３に格納された映像コンテンツデータは、ＣＰＵ２からの命令に基づき復調処理が行われ、映像データに変換される。映像データは、表示制御部６においてアナログの映像信号に変換され、表示部７に出力される。表示部７は、表示制御部６からの制御により、映像信号に基づく映像を表示する（Ｓ５）。図示は省略しているが、磁気テープ１０から読み出した映像コンテンツデータには音声データも付随しており、この音声データはパソコン１内のＨＤＤ３に一旦格納された後、音声信号処理回路において復調処理が行われる。復調処理された音声信号は、スピーカーなどの音声出力手段から出力される。
【００２０】
表示部７に映像を表示し続けている間、磁気テープ１０から順次映像コンテンツデータの読み出しが行われているので、表示部７に表示される映像は途切れることがない。すなわち、本実施の形態のテープドライブ８は、ヘリカルタイプのテープドライブ（特許文献３）に比べて高転送レートを実現することができるリニアタイプのテープドライブで構成されているため、大容量のコンテンツデータを磁気テープ１０から読み出しながらＨＤＤ３に格納し、データ処理まで実行可能である。したがって、磁気テープ１０からの映像コンテンツデータの読み出しと、表示部７への映像の表示とを同時に行っても、表示部７に表示される映像が途切れることがないのである。
【００２１】
また、操作部５において映像の早送り再生命令や巻き戻し再生命令が入力されたとしても、磁気テープ１０から読み出した映像コンテンツデータはＨＤＤ３に格納されているため、容易にアクセスすることができ、早送り再生や巻き戻し再生を実現することができる。
【００２２】
また、１本の磁気テープ１０に複数の映像コンテンツデータが記録されている場合は、１つの映像コンテンツデータの終端まで再生が行われると、次の映像コンテンツデータを読み出すように制御する。
【００２３】
上記実施の形態では、映像コンテンツデータの再生動作について説明したが、ゲームなどのアプリケーションソフトウェアをパソコン１にインストールする動作も同様である。すなわち、ユーザーが操作部５を操作して磁気テープ１０に記録されているアプリケーションソフトウェアのインストール命令を入力すると、ＣＰＵ２はテープドライブ８を制御して、磁気テープ１０に記録されているアプリケーションソフトウェアのインストールファイルを読み出して、ＨＤＤ３に書き込む。以降、周知のインストール処理を行うことで、アプリケーションソフトウェアをパソコン１にインストールすることができる。なお、全てのインストールファイルを磁気テープ１０から読み出し、ＨＤＤ３に書き込んでからインストール処理を開始する構成としてもよいが、インストールファイルをバックグラウンドで磁気テープ１０から読み出しながら、インストール処理を実行する構成としてもよい。このように構成することで、インストール処理に要する時間を短縮することができる。
【００２４】
以上のように本実施の形態によれば、磁気テープ１０から大容量のコンテンツを読み出し、ＨＤＤ３に格納しながら再生処理を行っているので、大容量のコンテンツデータを取り扱うことができる。例えば、映像コンテンツデータの場合は、２時間以上のハイビジョン映像を連続的に再生することができるので、高画質の映像を再生することができる。また、アプリケーションソフトウェアの場合は、データの大容量化に伴い、多機能化、グラフィックの高精細化などを実現することができる。
【００２５】
また、ＤＶＤやＢＤなどのディスク状媒体は、データの記録可能容量を大きくするためにディスクの両面に記録層を備えるものもあるが、両面の記録層にアクセスするためにはユーザーがディスクを反転させないといけないため使い勝手が悪い。これに対して磁気テープは、リールに対する巻径を大きくしたり薄型化することで、ユーザーにおける反転操作を必要とせずに大容量化が可能となるため使い勝手が良い。
【００２６】
また、磁気テープ１０から読み出したデータをＨＤＤ３に格納し、ＨＤＤ３上で再生処理などの各種処理を実行するため、ランダムアクセス性を損なうことはない。
【００２７】
また、テープドライブ８とＨＤＤ３との間の転送速度は、ＤＶＤなどに比べて高速であるため、磁気テープ１０から大容量のコンテンツデータを読み出す際に要する時間を削減することができる。
【００２８】
また、磁気テープ１０から読み出したコンテンツデータを再生している時に、バックグラウンドで磁気テープ１０からコンテンツデータを読み出すよう制御することにより、磁気テープ１０に記録されている全てのコンテンツデータを読み出してから再生を開始する制御に比べて、再生命令を入力してから実際に再生が開始されるまでの時間を短縮することができる。
【００２９】
また、磁気テープは、一般に磁気ディスク、光学ディスク、ＨＤＤ、半導体メモリよりもエラーレートが良く、データ信頼性が高いため、磁気テープ１０に各種コンテンツを記録することで信頼性が高いコンテンツ記録済み磁気テープを実現することができる。
【００３０】
また、本実施の形態では、磁気テープ１巻当たりの記録可能容量が大容量（例えば１．６ＴＢ）であるため、ディスク状媒体に比べて収納管理や携帯性が優れる。例えば、ＢＤは１枚の記録容量が５０ＧＢであるのに対し、ＤＡＴ１６０は１巻の記録容量が１６０ＧＢ（圧縮）であり、ＢＤ３枚分以上の容量を有する。
【００３１】
なお、本実施の形態では、磁気テープ１０から読み出したコンテンツデータをＨＤＤ３に格納する構成としたが、少なくともランダムアクセスが可能な媒体であればＨＤＤ以外であってもよい。例えば、バッファメモリ、半導体メモリなどがある。
【００３２】
また、本実施の形態では、電子機器の一例としてパソコン１を挙げて説明したが、ＨＤＤレコーダー、業務用アミューズメント機器などであってもよい。
【００３３】
また、本実施の形態では、磁気テープ１０に記録されたコンテンツデータを読み出す（再生）する構成について説明したが、電子機器にテレビジョン放送を受信可能なチューナーを内蔵し、チューナーで受信したテレビジョン放送のコンテンツを磁気テープ１０に記録可能な構成としてもよい。
【００３４】
また、本実施の形態では、テープドライブ８はパソコン１に内蔵する構成としたが、パソコン１に外部接続する構成であってもよい。
【産業上の利用可能性】
【００３５】
本発明は、磁気テープに記録されたコンテンツを読み出し、取り扱うことができる電子機器のデータ処理方法として有用である。特に、大容量の映像コンテンツの再生やアプリケーションソフトウェアのインストールが可能な機器のデータ処理方法として有用である。
【符号の説明】
【００３６】
１  パソコン（電子機器）
２  ＣＰＵ（データ処理手段）
３  ＨＤＤ（記憶手段）
４  ＲＡＭ（データ処理手段）
５  操作部
６  表示制御部
７  表示部
８  テープドライブ（読み出し手段）
１０  磁気テープ
【図１】
2013152751.tif 000003
【図２】
2013152751.tif 000004